(57)【要約】【課題】感圧端子の押し付けに呼応して受理される応力を観測する方式の硬度計において、該感圧端子を該機器への制御情報の入力手段としても利用する。【解決手段】感圧端子（２）のストロークの死点に接点（接点板）（８）を配置し、感圧端子を用手的に死点まで押し込んだ時にオンするこのスイッチを該機器への制御情報の入力手段として利用する。【選択図】図２
2019049518.tif 000002
【特許請求の範囲】
【請求項１】
感圧端子の押し付けに呼応して受理される応力を観測する方式の硬度計において、該感圧端子を該機器への制御情報の入力手段としても利用する如く構成された事を特徴とする、感圧端子式硬度計。
【請求項２】
請求項１に該当する感圧端子式硬度計において、該制御情報の入力手段としても利用される感圧端子はそのストロークの死点にスイッチを具備し、もって、該感圧端子が上死点に至るよりも強く押された場合に作動する該スイッチにより該機器への制御情報が入力される如く構成された事を特徴とする、該感圧端子式硬度計。
【請求項３】
請求項１に該当する感圧端子式硬度計において、該制御情報の入力手段としても利用される感圧端子はその背後に、その中心軸とは有意に異なる部位に少なくとも複数の応力センサを具備して成り、もって、感受した応力の中心軸に平行な成分のみならず中心軸とは傾いた成分をも検出する事が出来るように構成された事を特徴とする、該感圧端子式硬度計。
【発明の詳細な説明】
【発明の詳細な説明】
【０００１】本発明は感圧端子の押し付けに呼応して受理される応力を観測する方式の硬度計に関し、特にその該感圧端子を該機器への制御情報の入力手段としても利用する如く構成された事を特徴とする感圧端子式硬度計に関する物である。ここで言う感圧端子の押し付けに呼応して受理される応力を観測する方式の硬度計とは、字義通りの物ではあるが、典型的にはゴムやスポンジの弾性の性質を定量化するための硬度計、生体組織の緊張度を体表面に接して観測する筋力計、外測陣痛計、陰茎硬度（勃起度）計などの事を言う。以下、その典型例としてテレメーター発信器と一体化された外測陣痛計の場合を例示しつつ本発明の主旨を述べる。
【０００２】図１は公知の従来例における感圧端子式の硬度計の１例の外観を示す物で、この場合、展開された用途は外測陣痛計である。すなわちモナカないしパンケーキ状の匡体（１）の一端面には大きな丸い押しボタン状の感圧端子（２）があり、これは押し付けられた相手方の物体（母体腹壁）の押し返して来る応力（３）をその変位に換算して感受し、もって硬さ（組織の緊張度、子宮筋の緊張度）を計測する。匡体（１）の内部にはセンサ支援電子回路（４）や無線テレメトリー送信機が電池とともに配置されている。
【０００３】図２は図１の構成を発展させた本発明の第１の好ましい実施例であり、その内部構造を示す断面図である。すなわち匡体（１）の内部では感圧端子（２）は両持ち梁構造の板バネ（６）の中央部に決封されており、この板バネ（６）の曲がり具合が１例としてストレインゲージ（７）により観測される。板バネは両端部が台座となる厚板（５）に保持されている。ここまでは公知汎用の事であるが、この実施例ではこの板バネについた感圧端子の取り付けネジの頭が感圧端子を押し込むとその死点（行き止まりの位置）において接点板（８）に突き当たり、これを電気的に接地する。接点板（８）は台座（５）の上に絶縁物の板をおきさらにその上に導体板を置いて成り立っている。その導体板が感圧端子のストロークの死点において接地される事が図示せぬ支援電子回路への入力を与える。例えば、押し込んでオンする都度電源が入ったり切れたりするとか、無線通信系にチャンネル設定や送信開始の指示を与えるとか、するように構成する事が出来る。
【０００４】尚、上記スイッチは多回路ないし多接点スイッチである事を妨げる物ではなく、また押し込みの力の大小に応じて多数の接点が順々に段階的に応答する、いわゆる多段スイッチである事を妨げる物でもない。
【０００５】図３はさらに発展した第２の実施例であり、これにおいて感圧端子（２）は台座（６）に同一直線上にない少なくとも３個の応力センサ（９）を介して結合されており、図示せぬ支援電子装置はこれら３個以上の応力センサの計測する応力値を勘案する事により缶圧端子（２）が押された応力の大きさのみならずその方角ないしベクトルを知る事が出来る。この機能により感圧端子（２）の辺縁部のどこを押せばシステムのどの機能にアクセス出来るかを設定し、システムの機能に織り込む事が出来る。通常の硬度計ないし外測陣痛計として使用する場合には相手方物体に当接している感圧端子が斜め方向に押される可能性はほぼ存在しないので、この機能が邪魔になる事はない。
【０００６】また図３の構成によっても図２により説明した機能をあわせて実現する事は容易である。すなわち３つの応力センサの観測値を単純加算すれば、その結果の低レベル域ではアナログ的に押圧の法線成分を意味し、中ないし高レベル域では閾値判別により制御用のディジタル入力を意味するという両様の利用が可能である。
【０００７】さらに図３の構成で各応力センサの観測値の時間経過を判断すれば感圧端子の辺縁部を指で押しながら周回的になどられた事態も発見・観測が可能であり、さらに時計方向、反時計方向どちらに回されたかも判定可能である。
【０００８】上記説明の各実施例に関する必要な支援電子回路およびさらに必要に応じて併設されるディジタル的ないしソフトウエア的な手段に関しては、同業者、経験者、有識者にとっては公知汎用のまた経験的に知られている手段手法で容易に実施可能であるため、ここでは詳細な説明は省略する。
【０００９】以上により本発明の主旨である感圧端子を制御用手動入力の手段としても利用する応力変位形式の高度計（典型的には外測陣痛計）が実施例の紹介とともに解説された。しかしながら紹介した実施例は単なる例示であり、本発明の主旨がこれら実施例により拘束される事はない。
【００１０】すなわち本発明は、感圧端子の押し付けに呼応して受理される応力を観測する方式の硬度計において、該感圧端子を該機器への制御情報の入力手段としても利用する如く構成された事を特徴とする、感圧端子式硬度計である事が出来る。
【００１１】さらに本発明は、そのような感圧端子式硬度計において、該制御情報の入力手段としても利用される感圧端子はそのストロークの死点にスイッチを具備し、もって、該感圧端子が上死点に至るよりも強く押された場合に作動する該スイッチにより該機器への制御情報が入力される如く構成された事を特徴とする、該感圧端子式硬度計である事が出来る。
【００１２】さらに本発明は、そのような感圧端子式硬度計において、該制御情報の入力手段としても利用される感圧端子はその背後に、その中心軸とは有意に異なる部位に少なくとも複数の応力センサを具備して成り、もって感受した応力の中心軸に平行な成分のみならず中心軸とは傾いた成分をも検出する事が出来るように構成された事を特徴とする、該感圧端子式硬度計である事が出来る。
【００１３】さらに本発明は、そのような複数の応力センサを具備して成り、もって複数の応力センサ感受した値から感圧端子の辺縁部を指で周回的になどる動作をも、またそのようななどる操作の回転方向も検出する事が出来るように構成された事を特徴とする、該感圧端子式硬度計である事が出来る。
【００１４】以上の説明により明らかにされた如く、本発明の実施によれば外測陣痛計に代表される感圧端子式の硬度計において、該感圧端子を該装置の制御用手動入力の手段として兼用出来るので、該装置の構成の単純化、軽薄短小化、封じ切り気密水密構造化等に大きく貢献し、益する所大である。
【図面の簡単な説明】
【００１５】
【図１】公知の従来例における感圧端子式の硬度計の１例の外観を示す。これにおいて、（１）匡体  （２）感圧端子  （３）受理される応力  （４）支援電子回路
【図２】本発明の第１の好ましい実施例の内部構造を示す断面図である。これにおいて、（１）匡体  （２）感圧端子  （５）台座  （６）板バネ  （７）ストレインゲージ  （８）接点板
【図３】本発明の第２の実施例であり、これにおいて  （１）匡体  （２）感圧端子  （６）台座  （９）応力センサ
【図１】
2019049518.tif 000003
【図２】
2019049518.tif 000004
【図３】
2019049518.tif 000005